(57)【要約】【課題】ファスニング基材の上下の舌片部を互いに近接する交差方向に引っ張った状態で第２付着部に付着させた際に、ファスニング基材の本体部の横方向の外方側の縁部における舌片部の間の中間部分に生じるシワを抑制できる使い捨ておむつを提供する。【解決手段】ファスニング部材１２のファスニング基材３１は、不織布等により形成されたシート状の部材であり、本体部３１１と上側及び下側の舌片部３１２とを有している。上側及び下側の舌片部３１２は、本体部３１１の横方向Ｘの外方側の端部から縦方向Ｙに間隔をあけて横方向Ｘの外方側に延設されている。上側及び下側の舌片部３１２における、本体部３１１と結合された基端部と先端部との間の基端部側寄りの位置に、縦方向Ｙの幅が部分的に小さくされた縮幅部３１２ｂが設けられている。【選択図】図１
2011147496.tif 000002
【特許請求の範囲】
【請求項１】
液体を吸収する吸収コアを有し、着用者の股部を含む領域にあてがわれるおむつ本体と、
シート状の部材により形成され、前記おむつ本体の縦方向の後方側の部分における横方向の両側の縁部にそれぞれ接合され、前記おむつ本体から前記横方向の外方側に延びる左右のファスニング基材と、
前記左右のファスニング基材の肌面側にそれぞれ設けられた第１付着部と、
前記おむつ本体の前方側の部分における外面側に設けられ、前記１付着部が着脱自在に付着される第２付着部と、
を備え、
前記左右のファスニング基材は、
前記横方向の内方側が前記おむつ本体と接合された本体部と、
前記縦方向に間隔をあけて前記本体部から前記横方向の外方側に延設された上側及び下側の舌片部と、
を備え、
前記第１付着部は、前記左右のファスニング基材の前記上側及び下側の舌片部にそれぞれ設けられ、
前記上側及び下側の舌片部は、前記本体部と結合された基端部と先端部との間における前記基端部側寄りの位置に、前記縦方向の幅が部分的に小さくされた縮幅部を有することを特徴とする使い捨ておむつ。
【請求項２】
請求項１に記載の使い捨ておむつにおいて、
前記第１付着部は、前記左右のファスニング基材の前記上側及び下側の舌片部に対し、前記横方向に間隔をあけて複数ずつ設けられていることを特徴とする使い捨ておむつ。
【発明の詳細な説明】
【技術分野】
【０００１】
本発明は、所謂テープタイプの使い捨ておむつに関する。
【背景技術】
【０００２】
所謂テープタイプの使い捨ておむつの従来技術としては、例えば特許文献１に記載のものがある。この種の使い捨ておむつでは、おむつの着脱のために、図６に示すようにおむつ本体１の縦方向の後方側における横方向の両側に、左右のファスニング部材２が設けられている。ファスニング部材２は、ファスニング基材３及び第１付着部４を備えて構成されている。おむつ本体１の外面側における縦方向の前方側の領域には、略シート状の部材により形成され、ファスニング部材２の第１付着部４が着脱自在に付着する第２付着部５（図７参照）が付与されている。より詳細には、ファスニング基材３は、横方向の内方側がおむつ本体１と接合された本体部６と、縦方向に間隔をあけて本体部６から横方向の外方側に延設された２つの舌片部７とを備えている。そして、第１付着部４は、各舌片部７の肌面側に付与される。
【０００３】
このような構成を有する使い捨ておむつでは、おむつを着用者のウエスト周り及び腰周りにフィットさせるため、左右のファスニング部材２の舌片部７の第１付着部４を図７に示すような形態で第２付着部５に付着させる場合がある。すなわち、この図７に示す形態では、図７の矢印Ａ１〜Ａ４で示すように、ファスニング部材２の上下の舌片部７が互いに近接する交差方向に引っ張られた状態で、各舌片部７の第１付着部４が第２付着部５に付着されている。
【先行技術文献】
【特許文献】
【０００４】
【特許文献１】特開２００８−２５９７６６号公報
【発明の概要】
【発明が解決しようとする課題】
【０００５】
しかしながら、上述の図６に示す従来の構成では、ファスニング基材３に設けられる舌片部７の根元の部分の幅が大きいため、舌片部７を本体部６に対して縦方向に曲げようとしても曲がりにくい。このため、上下の舌片部７の第１付着部４を図７に示すような形態で第２付着部５に付着させた場合に、上下の舌片部７に掛けられている交差方向の引っ張り力により、ファスニング基材３の本体部６の横方向の外方側の縁部における舌片部７の間の中間部分８に、盛り上がるようにして大きなシワ９が生じる場合がある。このようなシワが生じると、着用者の着衣がシワに引っ掛かり、ファスニング部材２が外れるおそれがある。また、おむつを認知症患者等に使用する場合、シワにより着用者の指がファスニング基材３に掛かりやすくなるため、ファスニング部材２が着用者によって外されてしまうおそれがある。
【０００６】
そこで、本発明の解決すべき課題は、ファスニング基材の上下の舌片部を互いに近接する交差方向に引っ張った状態で第２付着部に付着させた際に、ファスニング基材の本体部の横方向の外方側の縁部における舌片部の間の中間部分に生じるシワを抑制できる使い捨ておむつを提供することである。
【課題を解決するための手段】
【０００７】
上記の課題を解決するため、請求項１の発明では、液体を吸収する吸収コアを有し、着用者の股部を含む領域にあてがわれるおむつ本体と、シート状の部材により形成され、前記おむつ本体の縦方向の後方側の部分における横方向の両側の縁部にそれぞれ接合され、前記おむつ本体から前記横方向の外方側に延びる左右のファスニング基材と、前記左右のファスニング基材の肌面側にそれぞれ設けられた第１付着部と、前記おむつ本体の前方側の部分における外面側に設けられ、前記１付着部が着脱自在に付着される第２付着部とを備え、前記左右のファスニング基材は、前記横方向の内方側が前記おむつ本体と接合された本体部と、前記縦方向に間隔をあけて前記本体部から前記横方向の外方側に延設された上側及び下側の舌片部とを備え、前記第１付着部は、前記左右のファスニング基材の前記上側及び下側の舌片部にそれぞれ設けられ、前記上側及び下側の舌片部は、前記本体部と結合された基端部と先端部との間における前記基端部側寄りの位置に、前記縦方向の幅が部分的に小さくされた縮幅部を有する。
【０００８】
また、請求項２の発明では、請求項１の発明に係る使い捨ておむつにおいて、前記第１付着部は、前記左右のファスニング基材の前記上側及び下側の舌片部に対し、前記横方向に間隔をあけて複数ずつ設けられている。
【発明の効果】
【０００９】
請求項１に記載の発明に係る使い捨ておむつによれば、ファスニング基材に設けられた上側及び下側の舌片部における、本体部と結合された基端部と先端部との間の基端部側寄りの位置に、縦方向の幅が部分的に小さくされた縮幅部が設けられている。それ故、舌片部が縮幅部で縦方向に曲がりやすくなっている。そのため、上側及び下側の舌片部を互いに近接する交差方向に引っ張った状態で各舌片部の第１付着部を第２付着部に付着させた際に、上側及び下側の舌片部が縮幅部で互いに近接する方向に曲がる。その結果、ファスニング基材の本体部の横方向の外方側の縁部における上下の舌片部の間の中間部分に生じるシワを抑制できる。これによって、着用者の着衣がファスニング基材の本体部に生じたシワに引っ掛かる等の不都合を回避できる。
【００１０】
また、舌片部を把持する際に縮幅部に手が掛かりやすくなるため、ファスニング基材の舌片部を引っ張りながら舌片部の第１付着部を第２付着部に付着させる作業が容易になる。
【００１１】
請求項２に記載の発明によれば、第１付着部が、左右のファスニング基材の上側及び下側の舌片部に対し、横方向に間隔をあけて複数ずつ設けられている。このため、舌片部を引っ張りながら第１付着部を第２付着部に付着させる際に、横方向の内方側の第１付着部から段階的に第２付着部に付着させることができ、付着作業の自由度が拡大し、付着作業がより容易になる。例えば、まず舌片部の縮幅部をしっかりと把持して舌片部を引っ張った状態で横方向の内方側の第１付着部を第２付着部に付着させて仮固定した後、舌片部の把持位置を先端部側に移動させて残りの第１付着部を第２付着部に付着させて本固定することができ、これによって、舌片部の付着作業を容易かつ確実に行える。
【図面の簡単な説明】
【００１２】
【図１】本発明の一実施形態に係る使い捨ておむつが平面状に展開されたときの要部の構成を示す平面図である。
【図２】図１の使い捨ておむつのファスニング部材が付着シートに付着された状態を示す図である。
【図３】ファスニング部材の製造工程を示す図である。
【図４】図１のファスニング部材の変形例を示す図である。
【図５】図１のファスニング部材の他の変形例を示す図である。
【図６】従来のファスニング部材の構成を示す図である。
【図７】図６のファスニング部材が第２付着部に付着された状態を示す図である。
【発明を実施するための形態】
【００１３】
図１ないし図３を参照して、本発明の一実施形態に係る使い捨ておむつ（以下、単に「おむつ」という）の構成について説明する。なお、本明細書において、横方向Ｘ及び縦方向Ｙは、おむつ１０が図１のように展開された状態を基準としており、横方向Ｘは着用者の左右方向に対応しており、縦方向Ｙは着用者の前後方向又は上下方向にそれぞれ対応している。
【００１４】
このおむつ１０は、図１及び図２に示すように、おむつ本体１１と、左右のファスニング部材１２と、本発明に係る第２付着部に相当する付着シート１３とを備えて構成されている。
【００１５】
おむつ本体１１は、内側シート部材２１と、外側シート部材２２と、吸収コア２３とを備えて構成され、着用者の股部を含む領域にあてがわれる。内側シート部材２１は、少なくとも横方向Ｘの中央部が透液性を有している。内側シート部材２１には、伸張された状態で弾性部材２１１が付与された左右の起立シート部２１２が設けられている。外側シート部材２２は、不透液性を有し、吸収コア２３の外面側に配置されている。内側シート部材２１及び外側シート部材２２は、吸収コア２３を挟み込むようにして接着剤によって接合される。吸収コア２３は、着用者が排泄した排泄液（例えば、尿又は便に含まれる水分等）を吸収する。より具体的には、吸収コア２３は、吸液ポリマー及び集合された繊維の集合体からなる繊維集合体の少なくともいずれか一方を備えて構成される。また、このおむつ１０では、おむつ本体１１の前側及び後側の縁部に沿ってウエスト弾性部材２４が伸張された状態で付与されている。また、おむつ本体１１の左右の脚周りには、レッグ弾性部材２５が伸張された状態で付与されている。
【００１６】
左右のファスニング部材１２は、おむつ本体１１の縦方向Ｙの後方側に位置する後側部分における横方向Ｘの両側の縁部に接合に接合され、おむつ１の着用者の体への固定に用いられる。より具体的には、各ファスニング部材１２は、ファスニング基材３１と、本発明に係る第１付着部に相当する略シート状の付着エレメント３２とを備えている。
【００１７】
ファスニング基材３１は、不織布等により形成されたシート状の部材であり、本体部３１１と上側及び下側の舌片部３１２とを有している。本体部３１１の横方向Ｘの内方側の部分は、おむつ本体１１の内側シート部材２１と外側シート部材２２との間に挟み込まれた状態で接着剤等の接合手段によりおむつ本体１１と接合される。
【００１８】
上側及び下側の舌片部３１２は、本体部３１１の横方向Ｘの外方側の端部から縦方向Ｙに間隔をあけて横方向Ｘの外方側に延設されている。また、各舌片部３１２には、拡幅部３１２ａと縮幅部３１２ｂとが設けられている。拡幅部３１２ａは、舌片部３１２の先端部に設けられ、縦方向Ｙの幅が拡大されている。縮幅部３１２ｂは、舌片部３１２が本体部３１１と結合される部分である基端部と先端部との間における基端部側寄りの位置（拡幅部３１２ａと基端部との間の位置）に設けられ、縦方向Ｙの幅が拡幅部３１２ａ及び基端部の縦方向Ｙの幅よりも小さくされている。
【００１９】
付着エレメント３２は、後述する付着シート１３に対して着脱自在に付着可能となっており、ファスニング基材３１の上下の舌片部３１２の肌面側に接着剤等の接合手段によりそれぞれ接合されている。本実施形態では、付着エレメント３２は、舌片部３１２の拡幅部３１２ａから縮幅部３１２ｂにかけた部分に設けられている。
【００２０】
付着エレメント３２と後述する付着シート１３とは、着脱自在に係合するループ材とフック材とによって構成されるいわゆる面ファスナーを構成しており、例えば、付着エレメント３２にフック材が用いられ、付着シート１３にループ材が用いられる。付着シート１３の表面には、複数のループ構造が形成されている。付着エレメント３２の表面には、付着シート１３のループ構造に着脱自在に係合する複数のフック構造が形成されている。なお、変形例として、付着エレメント３２にループ材を用い、付着シート１３にフック材を用いてもよい。また、付着エレメント３２及び付着シート１３として、互いに着脱自在に付着できれば面ファスナーに限らず、任意の構成を採用できる。例えば、付着エレメント３２及び付着シート１３として、粘着テープ及びその粘着テープが着脱自在に付着される付着シートを用いてもよい。
【００２１】
付着シート１３は、シート状の形態を有し、外側シート部材２２の外面側における前側の部分に接合されており、左右のファスニング部材１２に付与された付着エレメント３２が着脱自在に付着される。
【００２２】
上記のように、ファスニング部材１２のファスニング基材３１では、上側及び下側の舌片部３１２における、本体部３１１と結合された基端部と先端部との間の基端部側寄りの位置に、縦方向Ｙの幅が部分的に小さくされた縮幅部３１２ｂが設けられている。それ故、舌片部３１２が縮幅部３１２ｂで縦方向Ｙに曲がりやすくなっている。そのため、図２の矢印Ａ１〜Ａ４で示すように、上側及び下側の舌片部３１２を互いに近接する交差方向に引っ張った状態で各舌片部３１２の付着エレメント３２を付着シート１３に付着させた際に、上側及び下側の舌片部３１２が縮幅部３１２ｂで互いに近接する方向に曲がる。その結果、ファスニング基材３１の本体部３１１の横方向Ｘの外方側の縁部における上下の舌片部３１２の間の中間部分３６に生じるシワを抑制できる。これによって、着用者の着衣がファスニング基材３１の本体部３１１に生じたシワに引っ掛かる等の不都合を回避できる。
【００２３】
また、舌片部３１２を把持する際に縮幅部３１２ｂに手が掛かりやすくなるため、ファスニング基材３１の舌片部３１２を引っ張りながら舌片部３１２の付着エレメント３２を付着シート１３に付着させる作業が容易になる。
【００２４】
次に、図３を参照してファスニング部材１２の製造工程について説明する。図３に示すように、まず、左右のファスニング部材１２のファスニング基材３１が縦方向Ｙに連続的に連なってなるファスニング基材連続体４１の中央部に、付着エレメント３２を構成する付着エレメント連続体４２が縦方向Ｙに沿って接合される。続いて、大きく回り込むようにして蛇行するカットライン４３に沿ってファスニング基材連続体４１が左右に分割され、さらに縦方向Ｙに所定長さにそれぞれ切断される。これによって、左右のファスニング部材１２が得られる。このため、舌片部３１２に縮幅部３１２ｂを設けた構成であっても、ファスニング部材１２の製造工程が煩雑化することはない。
【００２５】
次に、図４及び図５を参照して上記のファスニング部材１２の変形例について説明する。図４に示す変形例では、各舌片部３１２に対して横方向Ｘに間隔をあけて複数の付着エレメント３２ａ，３２ｂが付与されている。図４の例では、各舌片部３１２に対して第１及び第２の付着エレメント３２ａ，３２ｂが付与されている。より詳細には、第１の付着エレメント３２ａは舌片部３１２の拡幅部３１２ａに付与され、第２の付着エレメント３２ｂは舌片部３１２の縮幅部３１２ｂに付与されている。
【００２６】
このような図４の構成により、舌片部３１２を引っ張りながら第１及び第２の付着エレメント３２ａ，３２ｂを付着シート１３に付着させる際に、横方向Ｘの内方側の付着エレメント３２ａ，３２ｂから段階的に付着シート１３に付着させることができ、付着作業の自由度が拡大し、付着作業がより容易になる。例えば、まず舌片部３１２の縮幅部３１２ｂをしっかりと把持して舌片部３１２を引っ張った状態で、縮幅部３１２ｂに付与された第２の付着エレメント３２ｂを付着シート１３に付着させて仮固定した後、舌片部３１２の把持位置を先端部側に移動させて、拡幅部３１２ａに付与された第１の付着エレメント３２ａを付着シート１３に付着させて本固定することができる。これによって、舌片部３１２の付着作業を容易かつ確実に行える。
【００２７】
また、上述の図１に示す構成では、付着エレメント３２が舌片部３１２の縦方向Ｙの全幅に渡って付与されているが、図５に示すように、縦方向Ｙの幅が舌片部３１２の縦方向Ｙの幅よりも小さい付着エレメント３２を舌片部３１２に付与してもよい。これにより、付着エレメント３２の使用面積を抑制でき、コスト削減が図れる。
【符号の説明】
【００２８】
１０  おむつ、１１  おむつ本体、１２  ファスニング部材、１３  付着シート、２１  内側シート部材、２１１  弾性部材、２１２  起立シート部、２２  外側シート部材、２３  吸収コア、２４  ウエスト弾性部材、２５  レッグ弾性部材、３１  ファスニング基材、３１１  本体部、３１２  舌片部、３１２ａ  拡幅部、３１２ｂ  縮幅部、３２，３２ａ，３２ｂ  付着エレメント、３６  中間部分、４１  ファスニング基材連続体、  ４２  付着エレメント連続体、４３  カットライン、Ｘ  横方向、Ｙ  縦方向。
【図１】
2011147496.tif 000003
【図２】
2011147496.tif 000004
【図３】
2011147496.tif 000005
【図４】
2011147496.tif 000006
【図５】
2011147496.tif 000007
【図６】
2011147496.tif 000008
【図７】
2011147496.tif 000009